(57)【要約】      （修正有）【課題】表示装置の充電性カップリングによるゴースト現象またはシェーディング現象を無くして、表示品質を高める。【解決手段】表示装置は、複数の画素を含む表示板と複数のデータ線にデータ電圧を伝達するデータ駆動部と複数のゲート線にゲート信号を伝達するゲート駆動部を制御し、信号処理部を含む信号制御部とを含み、前記信号処理部はＮ−１番目（Ｎは、２以上の自然数）行の入力映像信号及びＮ番目行の入力映像信号を保存するメモリと、隣接する行間の充電性カップリング程度を示すカップリング指数を算出するカップリング指数算出部とを含み、前記信号処理部はＮ＋１番目行の入力映像信号、前記メモリから受信したＮ−１番目行の入力映像信号及び前記Ｎ番目行の入力映像信号、そして前記算出されたカップリング指数を利用して、前記Ｎ番目行の入力映像信号を補償して前記Ｎ番目行の一画素に対する補償映像信号を生成する。【選択図】図３
2015018215.tif 000002
【特許請求の範囲】
【請求項１】
複数の画素を含む表示板と、
前記表示板の複数のデータ線にデータ電圧を伝達するデータ駆動部と、
前記表示板の複数のゲート線にゲート信号を伝達するゲート駆動部と、
前記データ駆動部及び前記ゲート駆動部を制御し、信号処理部を含む信号制御部と、
を含み、
前記信号処理部は、
（Ｎ−１）番目（Ｎは、２以上の自然数）行の入力映像信号、及びＮ番目行の入力映像信号を保存するメモリと、
隣接する行間の充電性カップリング程度を示すカップリング指数を算出するカップリング指数算出部と、を含み、
前記信号処理部は、（Ｎ＋１）番目行の入力映像信号、前記メモリから受信した前記（Ｎ−１）番目行の入力映像信号及び前記Ｎ番目行の入力映像信号、そして前記算出されたカップリング指数を利用して、前記Ｎ番目行の入力映像信号を補償して前記Ｎ番目行の一画素に対する補償映像信号を生成する、表示装置。
【請求項２】
前記カップリング指数は、前記画素の前記データ駆動部から距離及び前記ゲート駆動部からの距離に依存する、請求項１に記載の表示装置。
【請求項３】
前記カップリング指数は、前記表示板の特性による１次元関数に依存する、請求項２に記載の表示装置。
【請求項４】
前記信号処理部は、前記カップリング指数による補正値を保存する複数のルックアップテーブルを含む３次元ルックアップテーブルユニットをさらに含む、請求項３に記載の表示装置。
【請求項５】
前記３次元ルックアップテーブルユニットは、
前記カップリング指数が正数である場合に該当し、（Ｎ−１）番目行の入力映像信号とＮ番目行の入力映像信号の値による補正値を保存するルックアップテーブルと、
前記カップリング指数が負数である場合に該当し、（Ｎ＋１）番目行の入力映像信号とＮ番目行の入力映像信号の値による補正値を保存するルックアップテーブルと、を含む、請求項４に記載の表示装置。
【請求項６】
前記信号処理部は、前記３次元ルックアップテーブルユニットから受信した前記補正値を利用して補償映像信号を生成する信号補償部をさらに含む、請求項５に記載の表示装置。
【請求項７】
前記信号処理部は、
前記（Ｎ−１）番目行の入力映像信号、前記Ｎ番目行の入力映像信号、及び前記（Ｎ＋１）番目行の入力映像信号を電圧に変換するＧＶ変換部と、
前記変換された電圧の印加を受け、前記カップリング指数を利用して補償電圧を生成する補償電圧生成部と、
前記補償電圧を階調に変換するＶＧ変換部と、を含む、請求項３に記載の表示装置。
【請求項８】
前記ＧＶ変換部は、前記表示板に印加される前記データ電圧と階調の関数関係によって決められる変換ルックアップテーブルを含む、請求項７に記載の表示装置。
【請求項９】
前記補償電圧生成部は、
Ｖｔ＝Ｖ（Ｎ）−ＣＸ×（Ｖ（Ｎ−１）−Ｖ（Ｎ））（ｗｈｅｎ  ＣＸ＞０）、
Ｖｔ＝Ｖ（Ｎ）−ＣＸ×（Ｖ（Ｎ＋１）−Ｖ（Ｎ））（ｗｈｅｎ  ＣＸ＞０）によって補償電圧Ｖｔを生成し、
Ｖｔは前記補償電圧、ＣＸは前記カップリング指数、Ｖ（Ｎ）は前記Ｎ番目行の入力映像信号が変換された電圧、Ｖ（Ｎ−１）は前記（Ｎ−１）番目行の入力映像信号が変換された電圧、そしてＶ（Ｎ＋１）は前記（Ｎ＋１）番目行の入力映像信号が変換された電圧である、請求項８に記載の表示装置。
【請求項１０】
前記ＶＧ変換部は、前記変換ルックアップテーブルを利用して前記補償電圧を前記階調に変換する、請求項９に記載の表示装置。
【発明の詳細な説明】
【技術分野】
【０００１】
本発明は、表示装置及びその駆動方法に関するものである。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般に、表示板と、表示板を駆動するための駆動装置と、を含む。
【０００３】
表示板は、複数の信号線と、これに接続されて、ほぼ行列状に配列された複数の画素と、を含む。
【０００４】
信号線は、ゲート信号を伝達する複数のゲート線と、データ電圧を伝達する複数のデータ線などを含む。
【０００５】
各画素は、当該ゲート線及び当該データ線と接続されている少なくとも一つのスイッチング素子と、これに接続された少なくとも一つの画素電極と、画素電極と対向して、共通電圧の印加を受ける対向電極と、を含んでもよい。スイッチング素子は少なくとも一つの薄膜トランジスタを含んでもよく、ゲート線が伝達するゲート信号によってターンオンまたはターンオフされて、データ線が伝達するデータ電圧を選択的に画素電極に伝達することができる。各画素は、画素電極に印加されたデータ電圧と共通電圧との差によって当該輝度の映像を表示する。
【０００６】
表示装置が表示する映像は、大きく、静止画と動画に区分される。隣接するフレームの映像信号が同一であれば静止画を表示し、隣接するフレームの映像信号が異なれば、動画を表示する。
【０００７】
駆動装置は、グラフィック処理部（ＧＰＵ、ｇｒａｐｈｉｃ  ｐｒｏｃｅｓｓｉｎｇ  ｕｎｉｔ）と、駆動部と、駆動部を制御する信号制御部と、を含む。グラフィック処理部は、表示板に表示する映像に対する入力映像信号を信号制御部に伝送し、信号制御部は、表示板を駆動するための制御信号を生成して、映像信号と共に駆動部に伝送する。駆動部は、ゲート信号を生成するゲート駆動部と、データ電圧を生成するデータ駆動部と、を含む。
【先行技術文献】
【特許文献】
【０００８】
【特許文献１】大韓民国特許公開第１０−２００８−２２６８９号公報
【発明の概要】
【発明が解決しようとする課題】
【０００９】
表示装置の解像度が高いほど高画質の映像を提供することができるので、表示装置の解像度は、最近、高くなる傾向にある。解像度が高くなることにより、各画素をデータ電圧により充電する時間が短くなって、各画素の充電率が低くなり、これにより充電性にムラが生じうる。特に、データ電圧の極性を反転させる場合、データ電圧を目標データ電圧に充電するための時間が不足して、各画素の充電率が低くなる恐れがある。
【００１０】
また、信号遅延によって前の行に対するデータ電圧が現在行の充電時間まで遅延して、現在行の映像に前の行のデータ電圧の影響が現れるゴースト現象が生じる可能性がある。
【００１１】
さらに、信号遅延によって現在行に対するゲート信号が次の行に対するデータ電圧の入力時間まで遅延して、現在行の映像に次の行のデータ電圧の影響が現れるシェーディング現象が生じる可能性がある。
【００１２】
このような問題は、全て隣接する行の充電性カップリングによるもので、本発明の目的は、このような充電性カップリングによるゴースト現象またはシェーディング現象を無くして、表示品質を高めることにある。
【課題を解決するための手段】
【００１３】
本発明の一実施形態による表示装置は、複数の画素を含む表示板と、前記表示板の複数のデータ線にデータ電圧を伝達するデータ駆動部と、前記表示板の複数のゲート線にゲート信号を伝達するゲート駆動部と、前記データ駆動部及び前記ゲート駆動部を制御し、信号処理部を含む信号制御部と、を含み、前記信号処理部は、（Ｎ−１）番目（Ｎは、２以上の自然数）行の入力映像信号及びＮ番目行の入力映像信号を保存するメモリと、隣接する行間の充電性カップリング程度を示すカップリング指数を算出するカップリング指数算出部と、を含み、前記信号処理部は、（Ｎ＋１）番目行の入力映像信号、前記メモリから受信した前記（Ｎ−１）番目行の入力映像信号及び前記Ｎ番目行の入力映像信号、そして前記算出されたカップリング指数を利用して、前記Ｎ番目行の入力映像信号を補償して前記Ｎ番目行の一画素に対する補償映像信号を生成する。
【００１４】
前記カップリング指数は、前記画素の前記データ駆動部からの距離及び前記ゲート駆動部からの距離に依存してもよい。
【００１５】
前記カップリング指数は、前記表示板の特性による１次元関数に依存してもよい。
【００１６】
前記信号処理部は、前記カップリング指数による補正値を保存する複数のルックアップテーブルを含む３次元ルックアップテーブルユニットをさらに含んでもよい。
【００１７】
前記３次元ルックアップテーブルユニットは、前記カップリング指数が正数である場合に該当し、（Ｎ−１）番目行の入力映像信号とＮ番目行の入力映像信号の値による補正値を保存するルックアップテーブルと、前記カップリング指数が負数である場合に該当し、（Ｎ＋１）番目行の入力映像信号とＮ番目行の入力映像信号の値による補正値を保存するルックアップテーブルと、を含んでもよい。
【００１８】
前記信号処理部は、前記３次元ルックアップテーブルユニットから受信した前記補正値を利用して補償映像信号を生成する信号補償部をさらに含んでもよい。
【００１９】
前記信号処理部は、前記（Ｎ−１）番目行の入力映像信号、前記Ｎ番目行の入力映像信号、及び前記（Ｎ＋１）番目行の入力映像信号を電圧に変換するＧＶ変換部と、前記変換された電圧の印加を受け、前記カップリング指数を利用して補償電圧を生成する補償電圧生成部と、前記補償電圧を階調に変換するＶＧ変換部と、を含んでもよい。
【００２０】
前記ＧＶ変換部は、前記表示板に印加される前記データ電圧と階調の関数関係によって決められる変換ルックアップテーブルを含んでもよい。
【００２１】
前記補償電圧生成部は、Ｖｔ＝Ｖ（Ｎ）−ＣＸ×（Ｖ（Ｎ−１）−Ｖ（Ｎ））（ｗｈｅｎ  ＣＸ＞０、Ｖｔ＝Ｖ（Ｎ）−ＣＸ×（Ｖ（Ｎ＋１）−Ｖ（Ｎ））（ｗｈｅｎ  ＣＸ＞０によって補償電圧Ｖｔを生成してもよく、Ｖｔは前記補償電圧、ＣＸは前記カップリング指数、Ｖ（Ｎ）は前記Ｎ番目行の入力映像信号が変換された電圧、Ｖ（Ｎ−１）は前記（Ｎ−１）番目行の入力映像信号が変換された電圧、そしてＶ（Ｎ＋１）は前記（Ｎ＋１）番目行の入力映像信号が変換された電圧であってもよい。
【００２２】
前記ＶＧ変換部は、前記変換ルックアップテーブルを利用して前記補償電圧を前記階調に変換してもよい。
【発明の効果】
【００２３】
本発明の実施形態によれば、表示装置の充電性カップリングによるゴースト現象またはシェーディング現象を無くして、表示品質を高めることができる。
【図面の簡単な説明】
【００２４】
【図１】本発明の一実施形態による表示装置のブロック図である。
【図２】本発明の一実施形態による表示装置のブロック図である。
【図３】本発明の一実施形態による表示装置の信号補償部のブロック図である。
【図４】本発明の一実施形態による表示装置の信号制御部が含む３次元で構成されたルックアップテーブルを示した図面である。
【図５】本発明の一実施形態による表示装置の信号制御部が含む３次元で構成されたルックアップテーブルに含まれている一つのルックアップテーブルを示した図面である。
【図６】本発明の一実施形態による表示装置の信号制御部が含む３次元で構成されたルックアップテーブルに含まれている一つのルックアップテーブルを示した図面である
【図７】本発明の一実施形態による表示装置の駆動信号のタイミング図である。
【図８】本発明の一実施形態による表示装置の駆動信号のタイミング図である。
【図９】本発明の一実施形態による表示装置のブロック図である。
【図１０】本発明の一実施形態による表示装置のブロック図である。
【図１１】本発明の一実施形態による表示装置のブロック図である。
【図１２】本発明の一実施形態による表示装置の画素及び信号線の配置図である。
【図１３】本発明の一実施形態による表示装置が所定階調の映像を表示するときに色ムラが現れる位置の例を示したブロック図である。
【図１４】本発明の一実施形態による表示装置の信号補償部のブロック図である。
【図１５】図１４に示したＧＶ変換部とＶＧ変換部が含むルックアップテーブルを示した図面である。
【図１６】本発明の一実施形態による表示装置において入力映像信号を補償する方法を示したフローチャートである。
【発明を実施するための形態】
【００２５】
添付した図面を参照して、本発明の実施形態について、本発明が属する技術分野における通常の知識を有する者が容易に実施できるように詳細に説明する。しかし、本発明は種々の異なる形態に実現でき、ここで説明する実施形態に限られない。
【００２６】
以下、本発明の一実施形態による表示装置及びその駆動方法について、図面を参照しながら詳細に説明する。
【００２７】
最初に、図１乃至図６を参照して、本発明の一実施形態による表示装置について説明する。
【００２８】
図１及び図２は、それぞれ本発明の一実施形態による表示装置のブロック図であり、図３は、本発明の一実施形態による表示装置の信号補償部のブロック図であり、図４は、本発明の一実施形態による表示装置の信号制御部が含む３次元で構成されたルックアップテーブルを示した図面であり、図５及び図６は、それぞれ本発明の一実施形態による表示装置の信号制御部が含む３次元で構成されたルックアップテーブルに含まれている一つのルックアップテーブルを示した図面である。
【００２９】
先ず、図１を参照すれば、本発明の一実施形態による表示装置は、表示板３００と、ゲート駆動部（ｇａｔｅ  ｄｒｉｖｅｒ）４００と、データ駆動部（ｄａｔａ  ｄｒｉｖｅｒ）５００と、データ駆動部５００及びゲート駆動部４００を制御する信号制御部（ｓｉｇｎａｌ  ｃｏｎｔｒｏｌｌｅｒ）６００と、を含む。
【００３０】
表示板３００は、液晶表示装置（ｌｉｑｕｉｄ  ｃｒｙｓｔａｌ  ｄｉｓｐｌａｙ、ＬＣＤ）、有機発光表示装置（ｏｒｇａｎｉｃｌｉｇｈｔｅｍｉｔｔｉｎｇｄｉｓｐｌａｙ、ＯＬＥＤ）、電気湿潤装置（ｅｌｅｃｔｒｏｗｅｔｔｉｎｇ  ｄｉｓｐｌａｙ、ＥＷＤ）などの多様な平板表示装置（ｆｌａｔ  ｐａｎｅｌ  ｄｉｓｐｌａｙ、ＦＰＤ）に含まれている表示板であってもよい。
【００３１】
表示板３００は、複数のゲート線Ｇ１−Ｇｎと、複数のデータ線Ｄ１−Ｄｍと、複数のゲート線Ｇ１−Ｇｎ及び複数のデータ線Ｄ１−Ｄｍに接続されている複数の画素ＰＸと、を含む。
【００３２】
ゲート線Ｇ１−Ｇｎは、ゲート信号を伝達し、ほぼ行方向に延在して互いにほぼ平行してもよい。データ線Ｄ１−Ｄｍは、データ電圧を伝達し、ほぼ列方向に延在して互いにほぼ平行してもよい。
【００３３】
複数の画素ＰＸはほぼ行列状に配列されてもよい。各画素ＰＸは、当該ゲート線Ｇ１−Ｇｎ及び当該データ線Ｄ１−Ｄｍに接続されている少なくとも一つのスイッチング素子と、これに接続された少なくとも一つの画素電極とを含んでもよい。スイッチング素子は、少なくとも一つの薄膜トランジスタを含んでもよく、ゲート線Ｇ１−Ｇｎが伝達するゲート信号によってターンオンまたはターンオフされて、データ線Ｄ１−Ｄｍが伝達するデータ電圧を選択的に画素電極に伝達することができる。各画素ＰＸは、画素電極に印加されたデータ電圧によって当該輝度の映像を表示することができる。
【００３４】
各画素ＰＸは、色表示を実現するために原色（ｐｒｉｍａｒｙ  ｃｏｌｏｒ）のうちの一つを表示するか（空間分割）、または各画素ＰＸが時間によって交互に原色を表示して（時間分割）、これら原色の空間的、時間的な相互作用によって所望の色が認識されるようにしてもよい。原色の例としては赤色、緑色、青色など三原色が挙げられる。互いに異なる原色を表示する隣接した複数の画素ＰＸは、共に一つのセット（ドットという）を形成してもよい。一つのドットは白色の映像を表示してもよい。
【００３５】
ゲート駆動部４００は、信号制御部６００からゲート制御信号ＣＯＮＴ１を受信して、これに基づいて画素ＰＸのスイッチング素子をターンオンさせるゲートオン電圧Ｖｏｎと、ターンオフさせるゲートオフ電圧Ｖｏｆｆとの組み合わせからなるゲート信号を生成する。ゲート制御信号ＣＯＮＴ１は、走査開始を指示する走査開始信号ＳＴＶ、及びゲートオン電圧Ｖｏｎの出力時期を制御する少なくとも一つのゲートクロック信号ＣＰＶなどを含む。ゲート駆動部４００は、表示板３００のゲート線Ｇ１−Ｇｎと接続されて、ゲート信号をゲート線Ｇ１−Ｇｎに印加する。
【００３６】
図２を参照すれば、本発明の他の実施形態によるゲート駆動部４００は、表示板３００の両側に位置する第１ゲート駆動部４００ａ及び第２ゲート駆動部４００ｂを含んでもよい。この場合、ゲート線Ｇ１−Ｇｎは、表示板の互いに異なる領域に位置する第１ゲート線Ｇ１１、．．．、Ｇｎ１と、第２ゲート線Ｇ１２、．．．、Ｇｎ２に分れる。第１ゲート線Ｇ１１、．．．、Ｇｎ１は、第１ゲート駆動部４００ａと接続されてゲート信号の印加を受けることができ、第２ゲート線Ｇ１２、．．．、Ｇｎ２は、第２ゲート駆動部４００ｂと接続されてゲート信号の印加を受けることができる。
【００３７】
データ駆動部５００は、信号制御部６００からデータ制御信号ＣＯＮＴ２及び出力映像信号ＤＡＴを受信して、各出力映像信号ＤＡＴに対応する階調電圧を選択することにより、出力映像信号ＤＡＴをアナログデータ信号であるデータ電圧を生成する。出力映像信号ＤＡＴは、デジタル信号として定められた数の値（または階調）を有する。データ制御信号ＣＯＮＴ２は、一行の画素ＰＸに対する出力映像信号ＤＡＴの伝送開始を報知する水平同期開始信号、データ線Ｄ１−Ｄｍにデータ電圧の印加を指示する少なくとも一つのデータロード信号ＴＰ、及びデータクロック信号などを含む。データ制御信号ＣＯＮＴ２は、また、共通電圧Ｖｃｏｍに対するデータ電圧の極性（データ電圧の極性という）を反転させる反転信号をさらに含んでもよい。データ駆動部５００は、表示板３００のデータ線Ｄ１−Ｄｍと接続されて、データ電圧Ｖｄを当該データ線Ｄ１−Ｄｍに印加する。
【００３８】
図１に示したこととは異なり、データ駆動部５００は、表示板３００の複数の画素ＰＸが位置する表示領域を介して上部及び下部で互いに対向する一対のデータ駆動部（図示せず）を含んでもよい。この場合、上部に位置するデータ駆動部は、表示板３００のデータ線Ｄ１−Ｄｍの上側でデータ電圧Ｖｄを印加することができ、下部に位置するデータ駆動部は、表示板３００のデータ線Ｄ１−Ｄｍの下側でデータ電圧Ｖｄを印加することができる。また、下部に位置するデータ駆動部に接続されたデータ線Ｄ１−Ｄｍと、上部に位置するデータ駆動部に接続されたデータ線Ｄ１−Ｄｍとが、互いに分離されていてもよい。
【００３９】
信号制御部６００は、外部のグラフィック処理部（図示せず）などから入力映像信号ＩＤＡＴ及びその表示を制御する入力制御信号ＩＣＯＮを受信する。信号制御部６００は、入力映像信号ＩＤＡＴと入力制御信号ＩＣＯＮに基づいて入力映像信号ＩＤＡＴを適切に処理し、出力映像信号ＤＡＴに変換する。信号制御部６００は、入力映像信号ＩＤＡＴ及び入力制御信号ＩＣＯＮに基づいて、ゲート制御信号ＣＯＮＴ１及びデータ制御信号ＣＯＮＴ２などを生成する。信号制御部６００は、ゲート制御信号ＣＯＮＴ１をゲート駆動部４００に伝送し、データ制御信号ＣＯＮＴ２及び処理した出力映像信号ＤＡＴをデータ駆動部５００に伝送する。
【００４０】
図１及び図２を参照すれば、本発明の一実施形態による信号制御部６００は、入力映像信号ＩＤＡＴを補償する信号処理部６５０を含む。
【００４１】
図３を参照すれば、信号処理部６５０は、メモリ６５１、カップリング指数ＣＸ算出部６５２、３次元ルックアップテーブルユニットＬＵＴ_３Ｄ、６５３、及び信号補償部６５４を含んでもよい。
【００４２】
メモリ６５１は、それぞれ一行に対する入力映像信号ＩＤＡＴを保存できる二つ以上のラインメモリ（ｌｉｎｅ  ｍｅｍｏｒｙ）を含んでもよい。入力映像信号ＩＤＡＴを補償する現在画素行をＮ番目（Ｎは、自然数）行とするとき、メモリ６５１は、前の行である（Ｎ−１）番目行の入力映像信号ＩＤＡＴのデータ（（Ｎ−１）line Data）と、Ｎ番目行の入力映像信号ＩＤＡＴのデータタ（Ｎ line Data）を保存することができる。
【００４３】
メモリ６５１は、保存していた（Ｎ−１）番目行の入力映像信号ＩＤＡＴのデータと、Ｎ番目行の入力映像信号ＩＤＡＴのデータとを、３次元ルックアップテーブルユニット６５３に伝送することができる。
【００４４】
カップリング指数ＣＸ算出部６５２は、隣接する行間の充電性カップリング程度を示すカップリング指数ＣＸを保存するか、または計算して算出する。カップリング指数ＣＸを算出するとき、保存されていないカップリング指数ＣＸは補間法を利用して計算することができる。
【００４５】
カップリング指数ＣＸは、データ電圧及びゲート信号の遅延発生原因によって変化する。例えば、カップリング指数ＣＸは、充電される画素ＰＸの表示板３００内における位置、及び表示板３００の実際の構造による実際の充電性カップリングの程度に依存してもよい。カップリング指数ＣＸは、基準パターンを表示した後、実際のカップリング程度を測定して、細部的にチューニングされてもよい。
【００４６】
カップリング指数ＣＸは、負数、正数、または０であってもよい。
【００４７】
カップリング指数ＣＸの具体的な計算方法については後述する。
【００４８】
カップリング指数ＣＸ算出部６５２は、算出されたカップリング指数ＣＸを３次元ルックアップテーブルユニット６５３に伝送することができる。
【００４９】
図４を参照すれば、３次元ルックアップテーブルユニット６５３は、カップリング指数ＣＸに応じて他の複数のルックアップテーブルを含む。各ルックアップテーブルは２次元に構成されるので、カップリング指数ＣＸに応じて配列された複数のルックアップテーブルは、３次元的にルックアップテーブルユニット６５３を構成してもよい。
【００５０】
３次元ルックアップテーブルユニット６５３の各ルックアップテーブルは、Ｎ番目行に対する入力映像信号ＩＤＡＴの一部階調または全体階調に対する補正値を保存する。
【００５１】
図４乃至図６を参照すれば、３次元ルックアップテーブルユニット６５３は、正数のカップリング指数ＣＸに対応するゴーストルックアップテーブルＬＵＴ_Ｐと、負数のカップリング指数ＣＸに対応するシェーディングルックアップテーブルＬＵＴ_Ｎと、を含む。ゴーストルックアップテーブルＬＵＴ_Ｐは、前の行である（Ｎ−１）番目行の入力映像信号ＩＤＡＴの階調に対するＮ番目行の入力映像信号ＩＤＡＴの補正値を保存する。シェーディングルックアップテーブルＬＵＴ_Ｎは、次の行である（Ｎ＋１）番目行の入力映像信号ＩＤＡＴの階調に対するＮ番目行の入力映像信号ＩＤＡＴの補正値を保存する。
【００５２】
３次元ルックアップテーブルユニット６５３が、カップリング指数ＣＸが０である場合に対応するルックアップテーブルを含む場合、当該ルックアップテーブルでＮ番目行の入力映像信号ＩＤＡＴの補正値は、元の入力映像信号ＩＤＡＴと同一であってもよい。
【００５３】
各ルックアップテーブルＬＵＴ_Ｐ、ＬＵＴ_Ｎで保存されていない階調に対する補正値は、多様な補間法（ｉｎｔｅｒｐｏｌａｔｉｏｎ）などの計算方法によって得られる。これと同様に、ルックアップテーブルＬＵＴ_Ｐ、ＬＵＴ_Ｎが備えられていないカップリング指数ＣＸに対するルックアップテーブルは、隣接するルックアップテーブルＬＵＴ_Ｐ、ＬＵＴ_Ｎの補正値を利用した多様な補間法によって計算されてもよい。
【００５４】
３次元ルックアップテーブルユニット６５３は、カップリング指数算出部６５２からカップリング指数ＣＸを受信し、メモリ６５１から（Ｎ−１）番目行の入力映像信号ＩＤＡＴのデータと、Ｎ番目行の入力映像信号ＩＤＡＴのデータを受信し、また、信号制御部６００の外部から入力される（Ｎ＋１）番目行の入力映像信号ＩＤＡＴのデータを受信して、ルックアップテーブルＬＵＴ_Ｐ、ＬＵＴ_Ｎから当該画素ＰＸの入力映像信号ＩＤＡＴに対する補正値を得ることができる。
【００５５】
３次元ルックアップテーブルユニット６５３は、Ｎ番目行の画素ＰＸの入力映像信号ＩＤＡＴに対する補正値を信号補償部６５４に伝送してもよい。
【００５６】
信号補償部６５４は、３次元ルックアップテーブルユニット６５３から受信した補正値を利用して、Ｎ番目行の画素ＰＸの入力映像信号ＩＤＡＴを補償して処理し、出力映像信号ＤＡＴを生成することができる。
【００５７】
このように補償された入力映像信号ＩＤＡＴを処理した出力映像信号ＤＡＴはデータ駆動部５００に入力され、データ駆動部５００は、出力映像信号ＤＡＴを変換してデータ電圧を生成し、表示板３００に出力することができる。
【００５８】
本発明の一実施形態によれば、３次元ルックアップテーブルユニット６５３は、充電される画素ＰＸの表示板３００内における位置、及び位置別カップリング程度に依存するカップリング指数ＣＸにより、異なる複数のルックアップテーブルＬＵＴ_Ｐ、ＬＵＴ_Ｎを含み、各ルックアップテーブルＬＵＴ_Ｐ、ＬＵＴ_Ｎの補正値は、隣接する行の入力映像信号ＩＤＡＴのデータ差によって変化する。したがって、このような３次元ルックアップテーブルユニット６５３を利用して補償された入力映像信号ＩＤＡＴをデータ電圧Ｖｄに変換して映像を表示すれば、表示板３００の位置による信号遅延のための隣接する行間の充電性カップリングを無くすことができ、当該画素ＰＸの充電率不足による充電性ムラなどの画質不良を抑えることができる。
【００５９】
このような効果及び本発明の一実施形態による表示装置の駆動方法について、図７乃至図１０を参照して説明する。
【００６０】
図７及び図８は、それぞれ本発明の一実施形態による表示装置の駆動信号のタイミング図であり、図９及び図１０は、それぞれ本発明の一実施形態による表示装置のブロック図である。
【００６１】
本発明の一実施形態による表示装置の駆動方法について説明すれば、まず、信号制御部６００は、外部から入力映像信号ＩＤＡＴ及び入力制御信号ＩＣＯＮを受信した後、補償された入力映像信号ＩＤＡＴを生成して、これを処理して出力映像信号ＤＡＴに変換し、ゲート制御信号ＣＯＮＴ１及びデータ制御信号ＣＯＮＴ２などを生成する。信号制御部６００は、ゲート制御信号ＣＯＮＴ１をゲート駆動部４００に伝送し、データ制御信号ＣＯＮＴ２と出力映像信号ＤＡＴをデータ駆動部５００に伝送する。
【００６２】
信号制御部６００からのデータ制御信号ＣＯＮＴ２によってデータ駆動部５００は一行の画素ＰＸに対する出力映像信号ＤＡＴを受信し、各出力映像信号ＤＡＴに対応する階調電圧を選択することによって出力映像信号ＤＡＴをアナログデータ信号のデータ電圧Ｖｄに変換した後、これを当該データ線Ｄ１−Ｄｍに印加する。
【００６３】
ゲート駆動部４００は、信号制御部６００からのゲート制御信号ＣＯＮＴ１によってゲートオン電圧Ｖｏｎをゲート線Ｇ１−Ｇｎに印加して、このゲート線Ｇ１−Ｇｎに接続されたスイッチング素子をターンオンさせる。このことにより、データ線Ｄ１−Ｄｍに印加されたデータ電圧Ｖｄが、ターンオンされたスイッチング素子を通じて当該画素ＰＸに印加される。
【００６４】
このようにゲートオン電圧Ｖｏｎがゲート線Ｇ１−Ｇｎに印加されると、ゲート線Ｇ１−Ｇｎに接続されたスイッチング素子がターンオンされ、データ線Ｄ１−Ｄｍに印加されたデータ電圧Ｖｄは、ターンオンされたスイッチング素子を通じて当該画素ＰＸに印加される。
【００６５】
さらに具体的に図７を参照すれば、データ駆動部５００は、データロード信号ＴＰのライジングエッジ（ｒｉｓｉｎｇ  ｅｄｇｅ）に同期して、データ電圧Ｖｄをデータ線Ｄ１−Ｄｍに順次に印加する。データロード信号ＴＰの隣接するライジングエッジの間隔は、１水平周期[「１Ｈ」とも記し、水平同期信号Ｈｓｙｎｃ及びデータイネーブル信号ＤＥの一周期と同一である。]であってもよい。
【００６６】
図７は、ホワイトの（Ｎ−１）番目行のデータ電圧Ｖｄ（Ｎ−１）と、ブラックのＮ番目行のデータ電圧Ｖｄ（Ｎ）だけを示す。また、図７は、Ｎ番目行に印加されるゲート信号Ｖｇ（Ｎ）だけを示す。
【００６７】
図７に示したように、データ電圧Ｖｄ（Ｎ−１）は、データ駆動部５００から画素ＰＸが離れた程度によって遅延され、遅延されたデータ電圧Ｖｄ（Ｎ−１_ｄｅｌ）になりうる。遅延されたデータ電圧Ｖｄ（Ｎ−１_ｄｅｌ）は、Ｎ番目行のデータ電圧Ｖｄ（Ｎ）の充電時間のうちの大部分の遅延時間Ｔｄｅｌまで影響を与えることがある。したがって、Ｎ番目行のデータ電圧Ｖｄ（Ｎ）を充電できる実際充電時間Ｔｄｍは、１Ｈから遅延時間Ｔｄｅｌを引いた時間程度に減る。したがって、Ｎ番目行のデータ電圧Ｖｄ（Ｎ）は充電時間が不足し、Ｎ番目行の画素ＰＸの映像はブラックでない灰色階調を示して、ゴースト（Ｇｈｏｓｔ）現象が現れることがある。ゴースト現象は、信号遅延によって前の行に対するデータ電圧が現在行の充電時間まで遅延して、現在行の映像に前の行のデータ電圧の影響が現れる現象であり、つまり映像信号が表示されるべき箇所(ライン)から１ラインずれて表示される現象である。
【００６８】
このようなゴースト現象は、図１０及び図１１に示したように、データ駆動部５００から遠く位置して、ゲート信号Ｖｇ（Ｎ）の遅延は殆ど発生しない位置の画素ＰＸに現れる。ゴースト現象は、カップリング指数ＣＸが正数である場合に該当する。
【００６９】
本発明の一実施形態によれば、上述した通り、信号処理部６５０で３次元ルックアップテーブルユニット６５３を利用してＮ番目行の入力映像信号ＩＤＡＴを補償し、補償されたデータ電圧Ｖｄ（Ｎ）'を出力するので、図７で矢印に示したように、目標とするブラックを表示することができ、ゴースト現象を無くすことができる。
【００７０】
図８は、ホワイトのＮ番目行のデータ電圧Ｖｄ（Ｎ）と、ブラックの（Ｎ＋１）番目行のデータ電圧Ｖｄ（Ｎ＋１）を示す。また、図８は、Ｎ番目行に印加されるゲート信号Ｖｇ（Ｎ）だけを示す。
【００７１】
図８に示したように、ゲート信号Ｖｇ（Ｎ）は、ゲート駆動部４００から画素ＰＸが離れた程度によって遅延されて、（Ｎ＋１）番目行のデータ電圧Ｖｄ（Ｎ＋１）の充電時間の遅延時間Ｔｇｅｌまでゲートオフ電圧Ｖｏｆｆより大きい電圧がゲート線Ｇ１−Ｇｎに印加されてもよい。したがって、Ｎ番目行の画素ＰＸには、（Ｎ＋１）番目行の画素ＰＸに対するデータ電圧Ｖ（Ｎ＋１）がさらに印加されて、当該画素ＰＸの映像が目標輝度と異なるシェーディング（Ｓｈａｄｉｎｇ）現象が現れることがある。
【００７２】
このようなシェーディング現象は、図１０及び図１１に示したように、ゲート駆動部４００から遠く位置して、データ電圧Ｖｄの遅延は殆ど発生しない位置の画素ＰＸに現れる。シェーディング現象は、カップリング指数ＣＸが負数である場合に該当する。
【００７３】
本発明の一実施形態によれば、上述した通り、信号処理部６５０で３次元ルックアップテーブルユニット６５３を利用してＮ番目行の入力映像信号ＩＤＡＴを補償し、補償されたデータ電圧Ｖｄ（Ｎ）'を出力するので、このようなシェーディング現象（Ｓｈａｄｉｎｇ）を無くすことができる。シェーディング現象とは、信号遅延によって現在行に対するゲート信号が次の行に対するデータ電圧の入力時間まで遅延して、現在行の映像に次の行のデータ電圧の影響が現れる現象であり、つまり、表示素子の位置によって発光輝度が異なる現象であり、輝度傾斜現象とも言われる。
【００７４】
このように全てのゲート線Ｇ１−Ｇｎに対してゲートオン電圧Ｖｏｎを印加して、全ての画素ＰＸにデータ信号を印加することで、１フレーム（ｆｒａｍｅ）の映像を表示することができる。
【００７５】
１フレームが終了すると、次のフレームが開始し、各画素ＰＸに印加されるデータ電圧Ｖｄの極性が前のフレームにおける極性と反対になるように、データ駆動部５００に印加される反転信号の状態が制御されてもよい。このとき、１フレーム内でも反転信号の特性により、図７、図８に示したように一つのデータ線Ｄ１−Ｄｍを通じて流れるデータ電圧Ｖｄの極性が周期的に変化するか、または一画素行に印加されるデータ電圧Ｖｄの極性が互いに異なってもよい。
【００７６】
本発明の他の実施形態によれば、信号処理部６５０が含むメモリ６５１は、ラインメモリの代わりにフレームメモリを含んでもよい。シェーディング現象をなくすための補償によれば、Ｎ番目行の入力映像信号ＩＤＡＴの補償のために、次の行の（Ｎ＋１）番目行の入力映像信号ＩＤＡＴのデータを参照するが、（Ｎ＋１）番目行の入力映像信号ＩＤＡＴもその次の行である（Ｎ＋２）番目行の入力映像信号ＩＤＡＴのデータによって変化してもよい。したがって、現在行のＮ番目行の入力映像信号ＩＤＡＴの補償のために、（Ｎ＋１）番目行の入力映像信号ＩＤＡＴだけを参照するようになると、完ぺきな充電性カップリング補償にならないこともある。したがって、メモリ６５１のフレームメモリを通して全体行の入力映像信号ＩＤＡＴを参照して、Ｎ番目行の入力映像信号ＩＤＡＴを補償することにより、シェーディング現象を完全に除去することができる。
【００７７】
次に、上述した図面と共に図１１乃至図１３を参照して、本発明の一実施形態による表示装置の駆動方法においてカップリング指数ＣＸを算出する方法について説明する。
【００７８】
図１１は、本発明の一実施形態による表示装置のブロック図であり、図１２は、本発明の一実施形態による表示装置の画素及び信号線の配置図であり、図１３は、本発明の一実施形態による表示装置が所定階調の映像を表示するときにムラが現れる位置の例を示したブロック図である。
【００７９】
信号遅延は、ゲート線Ｇ１−Ｇｎとデータ線Ｄ１−ＤｍのＲＣ値によって変化するので、当該画素ＰＸがデータ駆動部５００及びゲート駆動部４００から離れた距離によってカップリング指数ＣＸが変化してもよい。また、実際表示板３００の構造によって信号遅延の程度は変化するので、表示板３００の特性に合うようにカップリング指数ＣＸを微細にチューニングする必要がある。
【００８０】
カップリング指数ＣＸは、例えば、次の数学式１によって計算することができる。
(数１)
【００８１】
Ｃｄｘ＝Ｌｄｘ×α（Ｄｎ）
Ｃｇｘ＝Ｌｇｘ×β（Ｇｎ）
ＣＸ＝Ｃｄｘ−Ｃｇｘ
図１１を参照すれば、数学式１において、Ｌｄｘは、データ駆動部５００から充電される当該画素ＰＸまでの距離を示す変数であって、（画素ＰＸのデータ駆動部５００からの行番号）／（全体行の個数）に表すことができる。したがって、Ｌｄｘは、０より大きくて１より小さいか、または同じ値を有してもよい。Ｌｇｘは、ゲート信号Ｖｇを伝達するゲート駆動部４００から充電される当該画素ＰＸまでの距離を示す変数であって、（画素ＰＸのゲート駆動部４００からの列番号）／（ゲート駆動部４００がゲート信号を伝達する全体列の個数）に表すことができる。したがって、Ｌｇｘは、０より大きくて１より小さいか、または同じ値を有してもよい。
【００８２】
数学式１において、α（Ｄｎ）及びβ（Ｇｎ）は、カップリング指数ＣＸを表示板３００の特性に合うようにチューニングするための関数であって、Ｄｎは、充電される画素ＰＸのデータ駆動部５００からの行番号を示し、Ｇｎは、充電される画素ＰＸのゲート駆動部４００からの列番号を示す。α（Ｄｎ）及びβ（Ｇｎ）はそれぞれ１次元関数であってもよい。
【００８３】
カップリング指数ＣＸのチューニングのためのα（Ｄｎ）とβ（Ｇｎ）は、実際の表示板３００の特性によって変化してもよい。チューニングのためのα（Ｄｎ）とβ（Ｇｎ）を求めるために、表示板３００の基準パターンの映像を表示し、充電性カップリングによって発生する色の均一度（ｃｏｌｏｒ  ｕｎｉｆｏｒｍｉｔｙ）を測定してもよい。
【００８４】
これについて、図１２を参照して、本発明の一実施形態による表示板３００の構造について説明する。
【００８５】
図１２を参照すれば、本発明の一実施形態による表示装置の表示板３００は、行方向に延在する複数のゲート線Ｇｉ、Ｇ（ｉ＋１）、．．．、列方向に延在する複数のデータ線Ｄｊ、Ｄ（ｊ＋１）、．．．、及び複数の画素ＰＸを含んでもよい。各画素ＰＸは、ゲート線Ｇｉ、Ｇ（ｉ＋１）、．．．及びデータ線Ｄｊ、Ｄ（ｊ＋１）、．．．にスイッチング素子Ｑを通じて接続されている画素電極１９１を含んでもよい。本実施形態において、各画素ＰＸは、赤色Ｒ、緑色Ｇ、及び青色Ｂの原色を示すことと図示したが、これに限定されることではない。
【００８６】
一画素列には同一の原色Ｒ、Ｇ、Ｂを示す画素が配置されてもよい。例えば、赤色画素Ｒの画素列、緑色画素Ｇの画素列、及び青色画素Ｂの画素列が交互に配置される。データ線Ｄｊ、Ｄ（ｊ＋１）、．．．は、各画素列ごとに一つずつ配置され、ゲート線Ｇｉ、Ｇ（ｉ＋１）、．．．は、各画素行ごとに一つずつ配置されるが、これに限定されることではない。
【００８７】
一画素列に配置されて同一の原色を示す画素Ｒ、Ｇ、Ｂは、互いに隣接した二つのデータ線Ｄｊ、Ｄ（ｊ＋１）、．．．のうちのいずれか一つに接続されてもよく、さらに具体的に、図１２に示したように、一つの画素列に配置された画素Ｒ、Ｇ、Ｂは、互いに隣接した二つのデータ線Ｄｊ、Ｄ（ｊ＋１）、．．．に交互に接続されてもよい。同一の画素行に位置する画素Ｒ、Ｇ、Ｂは、同一のゲート線Ｇｉ、Ｇ（ｉ＋１）、．．．に接続されてもよい。
【００８８】
隣接したデータ線Ｄｊ、Ｄ（ｊ＋１）、．．．には互いに反対極性のデータ電圧が印加されてもよい。データ電圧はフレームごとに極性反転されてもよい。
【００８９】
そのために列方向に隣接する画素Ｒ、Ｇ、Ｂは、互いに反対極性のデータ電圧の印加を受け、一つの画素行で隣接する画素Ｒ、Ｇ、Ｂは、互いに反対極性のデータ電圧の印加を受けてもよいので、ほぼ１×１点反転の形態で駆動されてもよい。即ち、データ線Ｄｊ、Ｄ（ｊ＋１）、．．．に印加されるデータ電圧が１フレーム内に同一の極性を維持する列反転で駆動されても、点反転駆動が実現できる。
【００９０】
図１３に示したように、基準パターンの赤色階調が１９５、緑色階調が２５、そして青色階調が２５である場合、ゴースト現象が現れる位置では、図１２に示したように緑色画素Ｇが前の行の赤色画素Ｒのデータ電圧の影響を受けて、さらに緑色化（Ｇｒｅｅｎｉｓｈ）することがある。また、同一の基準パターンを表示するときにシェーディング現象が現れる位置では、図１２に示したように青色画素Ｂが次の行の赤色画素Ｒのデータ電圧の影響を受けて、さらに青色化（Ｂｌｕｉｓｈ）することがある。
【００９１】
このように基準パターンの映像を表示した後、色の均一度または色ムラなどの表示特性を測定して、その結果に基づいてα（Ｄｎ）とβ（Ｇｎ）を決めることができ、これによってカップリング指数ＣＸをチューニングすることができる。
【００９２】
次に、図１４乃至図１６を参照して、本発明の一実施形態による表示装置及びその駆動方法について説明する。上述した実施形態と同一の構成要素に対しては同一の図面符号を付け、同一の説明は省略する。
【００９３】
図１４は、本発明の一実施形態による表示装置の信号補償部のブロック図であり、図１５は、図１４に示したＧＶ変換部とＶＧ変換部が含むルックアップテーブルを示した図面であり、図１６は、本発明の一実施形態による表示装置における入力映像信号を補償する方法を示したフローチャートである。
【００９４】
図１４を参照すれば、本発明の一実施形態による信号処理部６５０は、メモリ６５１、ＧＶ変換部６５５、補償電圧生成部６５６、カップリング指数ＣＸ算出部６５２、及びＶＧ変換部６５７を含んでもよい。
【００９５】
メモリ６５１とカップリング指数ＣＸ算出部６５２に対する説明は、上述した実施形態と同様なので、ここではそれと同一の説明は省略する。
【００９６】
メモリ６５１は、保存していた（Ｎ−１）番目行の入力映像信号ＩＤＡＴのデータと、Ｎ番目行の入力映像信号ＩＤＡＴのデータとを、ＧＶ変換部６５５に伝送する。
【００９７】
ＧＶ変換部６５５は、メモリ６５１から、（Ｎ−１）番目行の入力映像信号ＩＤＡＴのデータと、Ｎ番目行の入力映像信号ＩＤＡＴのデータとを受信し、信号制御部６００の外部から入力される（Ｎ＋１）番目行の入力映像信号ＩＤＡＴのデータを受信し、これらデータの階調Ｇを電圧Ｖに変換する。これを簡単にＧＶ変換という。
【００９８】
このようなＧＶ変換のために、ＧＶ変換部６５５は変換ルックアップテーブルを含んでもよい。変換ルックアップテーブルは１次元ルックアップテーブルであって、表示板３００に印加されるデータ電圧と階調の関数関係によって決められる。データ電圧と階調の関数関係は、表示板３００の特性、例えば、液晶表示装置の場合液晶の電圧−輝度グラフ（ＶＴ  ｃｕｒｖｅ）またはガンマ特性によって変化する。
【００９９】
図１５は、ＧＶ変換部６５５が含む変換ルックアップテーブルの例を示す。図１５を参照すれば、例えば、全体階調が０階調から２５５階調まで存在するとき、各階調に対するデータ電圧を１次元に保存することができる。このとき、データ電圧は反転駆動によって正極性の電圧と負極性の電圧を含むことができる。
【０１００】
さらに、図１４を参照すれば、補償電圧生成部６５６は、ＧＶ変換部６５５から変換された電圧の印加を受け、カップリング指数算出部６５２から算出されたカップリング指数ＣＸを受信して、補償電圧を生成する。補償電圧Ｖｔは、例えば、次の数学式２及び数学式３によって計算することができる。
(数２)
【０１０１】
Ｖｔ＝Ｖ（Ｎ）−ＣＸ×（Ｖ（Ｎ−１）−Ｖ（Ｎ））（ｗｈｅｎ  ＣＸ＞０）
(数３)
【０１０２】
Ｖｔ＝Ｖ（Ｎ）−ＣＸ×（Ｖ（Ｎ＋１）−Ｖ（Ｎ））（ｗｈｅｎ  ＣＸ＞０）
数学式２及び数学式３において、Ｖ（Ｎ）は、Ｎ番目行の入力映像信号ＩＤＡＴが変換された電圧Ｖであり、Ｖ（Ｎ−１）は、（Ｎ−１）番目行の入力映像信号ＩＤＡＴが変換された電圧Ｖであり、Ｖ（Ｎ＋１）は、（Ｎ＋１）番目行の入力映像信号ＩＤＡＴが変換された電圧Ｖである。カップリング指数ＣＸが正数である場合にはゴースト現象が現れることがあるため、数学式２によって補償電圧Ｖｔを計算し、カップリング指数ＣＸが負数である場合にはシェーディング現象が現れることがあるため、数学式３によって補償電圧Ｖｔを計算することができる。
【０１０３】
ＶＧ変換部６５７は、補償電圧生成部６５６から補償電圧Ｖｔの印加を受けて、これを階調Ｖに変換する。これを簡単にＶＧ変換という。
【０１０４】
このようなＶＧ変換のために、ＶＧ変換部６５７は変換ルックアップテーブルを含んでもよく、変換ルックアップテーブルは、図１５に示したようにＧＶ変換部６５５が含むルックアップテーブルと同一であってもよい。
【０１０５】
ＶＧ変換部６５７は、変換した階調Ｖを補償映像信号ＩＤＡＴ'として出力することができる。
【０１０６】
本実施形態において、ＧＶ変換部６５５、補償電圧生成部６５６、及びＶＧ変換部６５７は、上述した図３に対する実施形態で信号補償部６５４に対応する。
【０１０７】
次に、図１４及び図１５に示した信号処理部６５０の動作について、図１６を参照して説明する。
【０１０８】
先ず、カップリング指数算出部６５２で当該画素ＰＸに対するカップリング指数ＣＸを算出する（Ｓ１０）。
【０１０９】
次に、ＧＶ変換部６５５は、メモリ６５１から（Ｎ−１）番目行の入力映像信号ＩＤＡＴのデータと、Ｎ番目行の入力映像信号ＩＤＡＴのデータとを受信し、外部から（Ｎ＋１）番目行の入力映像信号ＩＤＡＴのデータを受信する（Ｓ１１）。
【０１１０】
次に、ＧＶ変換部６５５は、受信したデータの階調Ｇを変換ルックアップテーブルＬＵＴ_ＧＶによって電圧Ｖに変換する（Ｓ１２）。
【０１１１】
次に、補償電圧生成部６５６は、ＧＶ変換部６５５から変換された電圧の印加を受け、カップリング指数算出部６５２から算出されたカップリング指数ＣＸを受信して、補償電圧Ｖｔを生成する（Ｓ１３）。
【０１１２】
次に、ＶＧ変換部６５７は、補償電圧生成部６５６から補償電圧Ｖｔの印加を受けて、これを変換ルックアップテーブルＬＵＴ_ＶＧによって階調Ｖに変換する（Ｓ１４）。このとき、変換ルックアップテーブルＬＵＴ_ＶＧは、ＧＶ変換部６５５の変換ルックアップテーブルＬＵＴ_ＧＶと同一であってもよい。
【０１１３】
次に、ＶＧ変換部６５７が変換した階調Ｖを補償映像信号ＩＤＡＴ'として出力する（Ｓ１５）。
【０１１４】
以上、本発明の好ましい実施形態について詳細に説明したが、本発明の権利範囲はこれに限定されるず、特許請求の範囲で定義している本発明の基本概念を利用した当業者の色々な変形及び改良形態も本発明の権利範囲に属するものである。
【符号の説明】
【０１１５】
３００  表示板
１９１  画素電極
４００、４００ａ、４００ｂ  ゲート駆動部
５００  データ駆動部
６００  信号制御部
６５０  信号処理部
６５１  メモリ
６５２  カップリング指数算出部
６５３  ３次元ルックアップテーブルユニット
６５４  信号補償部
６５５  ＧＶ変換部
６５６  補償電圧生成部
６５７  ＶＧ変換部
【図１】
2015018215.tif 000003
【図２】
2015018215.tif 000004
【図３】
2015018215.tif 000005
【図４】
2015018215.tif 000006
【図５】
2015018215.tif 000007
【図６】
2015018215.tif 000008
【図７】
2015018215.tif 000009
【図８】
2015018215.tif 000010
【図９】
2015018215.tif 000011
【図１０】
2015018215.tif 000012
【図１１】
2015018215.tif 000013
【図１２】
2015018215.tif 000014
【図１３】
2015018215.tif 000015
【図１４】
2015018215.tif 000016
【図１５】
2015018215.tif 000017
【図１６】
2015018215.tif 000018